(57)【要約】【課題】  以前よりラッピングフィルムを数周巻き付けて、荷崩れ防止処置を行っていた。よって、ラッピングフィルムの購入費・巻き付けに要する時間、また使い捨てのため産業廃棄物としての処分費用が掛かって経済的負担の大きなものであった。【解決手段】  本願は、パレット上に多段数載置された荷物全体を覆う方形の袋状シートであり、半透明のシート材を用いて、内容物が確認できると共に、側面に荷締めベルト４の基端部５を縫着し、先端部６にバックル７の雄部材８・雌部材９を設け、嵌脱が容易であると共に、ベルトの余長端を引き、荷締めが容易で、輸送中の振動にも耐えうる構造としたものである。【選択図】        図１
2006176153.tif 000002
【特許請求の範囲】
【請求項１】
シート素材を用いてパレット寸法とほぼ同寸の四周側面１と上面２とで方形の袋３を構成し、その側面１に荷締めベルト４の基端部５を縫着し、先端部６にそれぞれバックル７の雄部材８・雌部材９を設け、パレットＰ上に載置された多段積載物を覆い、荷締めベルト４で積載物を緊縛し、荷崩れを防止することを特徴とする物流用荷崩れ防止シート。
【請求項２】
シート素材を用いてパレット寸法とほぼ同寸の四周側面１で方形を構成し、その側面１に荷締めベルト４の基端部５を縫着し、先端部６にそれぞれバックル７の雄部材８・雌部材９を設け、パレットＰ上に載置された多段積載物の周囲を囲み、荷締めベルト４で積載物を緊縛し、荷崩れを防止することを特徴とする物流用荷崩れ防止シート。
【請求項３】
シート素材に、半透明シート素材を用いたことを特徴とする請求項１、請求項２に記載の物流用荷崩れ防止シート。
【請求項４】
シート素材に、透明シート素材を用いたことを特徴とする請求項１、請求項２に記載の物流用荷崩れ防止シート。
【請求項５】
シートの周面に窓を設け、該窓に半透明シート素材あるいは透明シート素材を用いたことを特徴とする請求項１、請求項２に記載の物流用荷崩れ防止シート。
【請求項６】
シートの周面の内、単数面あるいは複数面を半透明シート素材あるいは透明シート素材を用いたことを特徴とする請求項１、請求項２に記載の物流用荷崩れ防止シート。
【請求項７】
シート面に名札入れを設けたことを特徴とする請求項１乃至請求項６に記載の物流用荷崩れ防止シート。
【発明の詳細な説明】
【技術分野】
【０００１】
本願は物流用荷崩れ防止シートに係るものであり、特にはパレット上に積載する定形荷物の運搬時に使用する荷崩れ防止シートに関するものである。
【背景技術】
【０００２】
以前より運搬時の荷崩れ防止対策としては、パレット上に複数段積載された荷物の周囲をラッピングフィルムにより巻き付ける手法が主流であった。
【０００３】
上記の方法では、ラッピングフィルムを巻き付ける際、荷物が重たい場合は巻付け易いが、軽い場合は荷物が動き巻付けにくく、巻き付け時間が掛かっていた。また運搬後は、そのラッピングフィルムは再使用できず、産業廃棄物として処分するしかなかった。
【発明の開示】
【発明が解決しようとする課題】
【０００４】
よって、ラッピングフィルムの購入費・巻き付けに要する時間および産業廃棄物としての処分費用の経済的負担を最小限にすることをその目的とするものである。
【課題を解決するための手段】
【０００５】
本願は、パレット上に積載した荷物を覆う方形の通い袋とし、半透明のシート材を用いて、内容物が確認できると共に、一側面に荷締めベルトを設け、荷締めベルトの嵌合は樹脂製のワンタッチバックルで行い、簡単容易に荷締め可能とし、輸送中の振動にも耐えうる構造としたものである。
【発明の効果】
【０００６】
以上のように本願を採用することにより、何度でも使い回しが利くので、ラッピングフィルムの購入費・巻き付けに要する時間、また産業廃棄物としての処分費用が不要となり経済的な負担が少なくなる。
シートの取付けは、積載物の上から被せることにより積載物が動かず、容易に荷締め作業が可能であり、取付け時間も短縮されると共に、荷締めベルトにより積載物のサイズ変化にも対応可能である。
【実施例】
【０００７】
本願の実施例を詳記すると、
本願は、シート素材を用いてパレット寸法とほぼ同寸の四周側面１と上面２とで方形の袋３を構成し、その側面１に荷締めベルト４の基端部５を縫着し、先端部６にそれぞれバックル７の雄部材８・雌部材９を設け、パレットＰ上に載置された多段積載物を覆い、荷締めベルト４で積載物を緊縛し、荷崩れを防止するものである。
【０００８】
袋３は、高さ８５０ｍｍ、幅１１１０ｍｍ、奥行き１１１０ｍｍの方形である。
また、四個所に鳩目付きのペケット12を設けたものである。
荷締めベルト４の基端部５はシート側面１に設けた補強材11上に縫着し、先端部６にバックル７の雄部材８・雌部材９をそれぞれ設けたものである。
荷締めベルト４は、合成繊維製の細幅ベルトであり、幅２５ｍｍ・厚み１．５ｍｍ前後のものを用いる。
バックル７は、嵌脱が容易な樹脂製のワンタッチ式のバックルである。
【０００９】
請求項２は、シート素材を用いてパレット寸法とほぼ同寸の四周側面１で方形を構成し、その側面１に荷締めベルト４の基端部５を縫着し、先端部６にそれぞれバックル７の雄部材８・雌部材９を設け、パレットＰ上に載置された多段積載物の周囲を囲み、荷締めベルト４で積載物を緊縛し、荷崩れを防止するものである。
シート寸法は、高さ４５０ｍｍ、幅１１１０ｍｍ、奥行き１１１０ｍｍの方形であり、缶ケース等の運搬用である。
【００１０】
請求項３は、シート素材に、半透明シートを用いたものであり、積載物が確認できるようにしたものである。
【００１１】
請求項４は、シート素材に、透明シートを用いたものであり、積載物が確認できるようにしたものである。
【００１２】
請求項５は、シートの所定個所に窓を設け、該窓に半透明シート素材あるいは透明シート素材を用いたものであり、積載物が確認できるようにしたものである。
【００１３】
請求項６は、シートの周面の内、単数面あるいは複数面に半透明シート素材あるいは透明シート素材を用いたものであり、積載物が確認できるようにしたものである。
【００１４】
請求項７は、シート面に透明ビニール製の名札入れを設けるものであり、寸法は、幅１３０ｍｍ、高さ３００ｍｍのもので、積載物の品名や積載物運搬者名（シートの管理担当者名）の名札を入れるものである。
【００１５】
本願の使用方法は、パレットＰ上に多段載置された荷物上から被せ、荷締めベルト４のバックル７を嵌合し、片方のベルト余長端を引っ張ることで簡単容易に取付けることができる。また、袋構造のため荷崩れを防ぎ、輸送中の振動にも耐えることができる。また、何度でも使い回しが利くので、ラッピングフィルムを使用していた時のような購入費が削減できると共に、処分費用が掛からなくなる。
【図面の簡単な説明】
【００１６】
【図１】本願物流用荷崩れ防止シートの正面斜視図。
【図２】本願物流用荷崩れ防止シートの荷締めベルト拡大図。
【図３】本願請求項２の物流用荷崩れ防止シートの正面斜視図。
【図４】本願物流用荷崩れ防止シートの取付状態斜視図。
【符号の説明】
【００１７】
１    側面
２    上面
３    袋
４    荷締めベルト
５    基端部
６    先端部
７    バックル
８    雄部材
９    雌部材
10    名札入れ
11    補強材
12    ペケット
Ｐ    パレット
【図１】
2006176153.tif 000003
【図２】
2006176153.tif 000004
【図３】
2006176153.tif 000005
【図４】
2006176153.tif 000006